(57)【要約】【課題】演色性が良好な白色発光装置および当該白色発光装置を含む半導体発光システムを提供する。【解決手段】発光装置１は、ＬＥＤ部３と、ＬＥＤ部３を励起源として発光する蛍光体部２とを備える。蛍光体部２は、ＬＥＤ部３が発した光を受光する位置に並設された緑色蛍光体部２ｇと、黄色蛍光体部２ｙと、赤色蛍光体部２ｒとを備えている。蛍光体部２の発光装置１から光を出射する面において、黄色蛍光体部の面積ＴYと、前記赤色蛍光体部の面積ＴRとの比であるＴY／ＴRが所定の条件を満たすようにする。【選択図】図１
2013041876.tif 000002
【特許請求の範囲】
【請求項１】
半導体発光素子と、前記半導体発光素子が発した光によって励起されて発光する蛍光体によって形成された蛍光体部とを有する白色発光装置であって、
前記半導体発光素子は、波長が３５０ｎｍ以上であって５２０ｎｍ以下である光を発し、
前記蛍光体部は、前記半導体発光素子が発した光を受光する位置に並設された緑色蛍光体部と、黄色蛍光体部と、赤色蛍光体部とを備え、
前記緑色蛍光体部は、前記光によって励起されて緑色光を発する前記緑色蛍光体を含有し、
前記黄色蛍光体部は、前記光によって励起されて黄色光を発する前記黄色蛍光体を含有し、
前記赤色蛍光体部は、前記光によって励起されて赤色光を発する前記赤色蛍光体を含有し、
前記蛍光体部から光を出射する面において、前記黄色蛍光体部の面積ＴYと、前記赤色蛍光体部の面積ＴRとの比であるＴY／ＴRが、当該白色発光装置が発する光の相関色温度の１／１０００の値であるＣＣＴ’を用いて規定される条件式
−０．０２６３２×ＣＣＴ’＋０．２０＜ＴY／ＴR＜０．６０５２６３×ＣＣＴ’−０．８０
を満たす
ことを特徴とする白色発光装置。
【請求項２】
前記ＴY／ＴRが、前記ＣＣＴ’を用いて規定される条件式
−０．０５２６３×ＣＣＴ’＋０．３５＜ＴY／ＴR＜０．２７６３１６×ＣＣＴ’−０．０５
を満たす
ことを特徴とする請求項１に記載の白色発光装置。
【請求項３】
相関色温度が１８００Ｋ以上であって３１００Ｋ以下である光を発する
ことを特徴とする請求項２に記載の白色発光装置。
【請求項４】
前記ＴY／ＴRが、前記ＣＣＴ’を用いて規定される条件式
−０．０６５７９×ＣＣＴ’＋０．５５＜ＴY／ＴR＜０．１３１５７９×ＣＣＴ’−０．２０
を満たす
ことを特徴とする請求項１から請求項３のうちいずれかに記載の白色発光装置。
【請求項５】
相関色温度が１８００Ｋ以上であって４４００Ｋ以下である光を発する
ことを特徴とする請求項４に記載の白色発光装置。
【請求項６】
前記半導体発光素子は、ピーク波長が４２０ｎｍ以上であって４８０ｎｍ以下である光を発する
ことを特徴とする請求項１乃至５のいずれかに記載の白色発光装置。
【請求項７】
前記蛍光体部は、青色蛍光体部を含み、
前記青色蛍光体部は、前記半導体発光素子が発した光によって励起されて青色光を発する前記青色蛍光体を含有する
ことを特徴とする請求項１乃至５のいずれかに記載の白色発光装置。
【請求項８】
前記半導体発光素子は、ピーク波長が３８０ｎｍ以上であって４２０ｎｍ以下である光を発する
ことを特徴とする請求項７に記載の白色発光装置。
【請求項９】
前記蛍光体部は、各色の蛍光体を保持するための保持部材と、前記保持部材に層状をなして並設されて保持される前記緑色蛍光体、前記黄色蛍光体、および前記赤色蛍光体とを含む
ことを特徴とする請求項１乃至８のいずれかに記載の白色発光装置。
【請求項１０】
前記蛍光体部は、第１領域と第２領域との２つの領域に区分され、
前記第１領域と前記第２領域とは、前記黄色蛍光体部の面積ＴYと前記赤色蛍光体部の面積ＴRとの比が互いに異なり、
前記第１領域と前記第２領域との間で、前記半導体発光素子が発した光を受光する領域を変更可能である
ことを特徴とする請求項９に記載の白色発光装置。
【請求項１１】
前記保持部材には、互いに隣接する各色の蛍光体部の間に、一の色の蛍光体が発した光を他の色の蛍光体が受光することを抑制する仕切り部材が設けられている
ことを特徴とする請求項９または請求項１０に記載の白色発光装置。
【請求項１２】
各色の蛍光体部に応じて、底面に前記半導体発光素子が設置された凹部がそれぞれ基板に設けられ、
前記各色の蛍光体部は、それぞれ前記凹部内に保持されてそれぞれ前記半導体発光素子を覆う
ことを特徴とする請求項１乃至８のいずれかに記載の白色発光装置。
【請求項１３】
前記赤色蛍光体部から発せられた光のスペクトルにおいて、前記半導体発光素子によって発せられた光のピーク強度の値が、前記赤色蛍光体部が発した光の最大ピーク強度の０．３％以上の値である
ことを特徴とする請求項１乃至１２のいずれかに記載の白色発光装置。
【請求項１４】
前記黄色蛍光体部から発せられた光のスペクトルにおいて、前記半導体発光素子によって発せられた光のピーク強度の値が、前記黄色蛍光体部が発した光の最大ピーク強度の０．３％以上であって３０％以下の値である
ことを特徴とする請求項１乃至１３のいずれかに記載の白色発光装置。
【請求項１５】
請求項１乃至１４のいずれかに記載の白色発光装置を複数備え、
各白色発光装置における前記黄色蛍光体の領域の面積ＴYと前記赤色蛍光体の領域の面積ＴRとの比がそれぞれ異なる
ことを特徴とする半導体発光システム。
【請求項１６】
各白色発光装置における前記半導体発光素子に流れる電流をそれぞれ制御する電流制御手段を含む
ことを特徴とする請求項１５に記載の半導体発光システム。
【発明の詳細な説明】
【技術分野】
【０００１】
本発明は、白色発光装置および半導体発光システムに関し、特に、演色性が良好な白色発光装置および当該白色発光装置を含む半導体発光システムに関する。
【背景技術】
【０００２】
演色性が高い白色ＬＥＤとして、発光色が異なる複数種類の蛍光体、例えば、青色蛍光体、緑色蛍光体、および赤色蛍光体が混合されて用いられた白色ＬＥＤが知られている。しかし、このように複数種類の蛍光体が混合されて用いられた場合には、ある種類の蛍光体が発した光を他の種類の蛍光体が吸収するという、いわゆるカスケード励起が起きてしまい、その結果、白色ＬＥＤ全体としての発光効率が低くなってしまうという問題が知られている。
【０００３】
そこで、特許文献１には、蛍光体が層状に形成された蛍光体層を備えた発光装置であって、当該蛍光体層の厚さ方向に対して垂直の方向に青色蛍光体、緑色蛍光体、および赤色蛍光体が別々に配置された、つまり、青色蛍光体、緑色蛍光体、および赤色蛍光体を備えた蛍光体層を有する発光装置が記載されている。
【０００４】
特許文献１には、特に、各蛍光体部の面積比を調整することで、各蛍光体部から発せられる各光のエネルギ比を調整可能であることが記載されている。
【先行技術文献】
【特許文献】
【０００５】
【特許文献１】国際公開第２００８／０１８５４８号
【発明の概要】
【発明が解決しようとする課題】
【０００６】
本発明の発明者らが検討したところ、緑色蛍光体、黄色蛍光体、および赤色蛍光体を備えた蛍光体層を有する発光装置において所望の色度や色温度の光を発するためには、その色度や色温度によって蛍光体の面積比は１通りに決まらないため、蛍光体の面積比を様々に設定することが可能であることがわかった。さらに、当該面積比に応じて、当該発光装置が発する光の演色性が大きく異なることがわかった。そうすると、所望の色度や色温度の光を発し、かつ、所望の演色性の発光装置を実現するためには、蛍光体の面積比を様々に変更する試行錯誤をしなければならない。
【０００７】
本発明はこのような課題に鑑みてなされたものであり、その目的とするところは、緑色蛍光体、黄色蛍光体、および赤色蛍光体を備えた蛍光体層を有する白色発光装置であって、発光効率が高く、かつ、演色性が良好な白色発光装置および当該白色発光装置を含む半導体発光システムを提供することにある。
【課題を解決するための手段】
【０００８】
上記目的を達成するため、本発明による白色発光装置は、半導体発光素子と、前記半導体発光素子が発した光によって励起されて発光する蛍光体によって形成された蛍光体部とを有する白色発光装置であって、前記半導体発光素子は、波長が３５０ｎｍ以上であって５２０ｎｍ以下である光を発し、前記蛍光体部は、前記半導体発光素子が発した光を受光する位置に並設された緑色蛍光体部と、黄色蛍光体部と、赤色蛍光体部とを備え、前記緑色蛍光体部は、前記光によって励起されて緑色光を発する前記緑色蛍光体を含有し、前記黄色蛍光体部は、前記光によって励起されて黄色光を発する前記黄色蛍光体を含有し、前記赤色蛍光体部は、前記光によって励起されて赤色光を発する前記赤色蛍光体を含有し、前記蛍光体部から光を出射する面において、前記黄色蛍光体部の面積ＴYと、前記赤色蛍光体部の面積ＴRとの比であるＴY／ＴRが、当該白色発光装置が発する光の相関色温度の１／１０００の値であるＣＣＴ’を用いて規定される条件式である−０．０２６３２×ＣＣＴ’＋０．２０＜ＴY／ＴR＜０．６０５２６３×ＣＣＴ’−０．８０を満たすことを特徴とする。
【０００９】
好ましくは、前記ＴY／ＴRが、前記ＣＣＴ’を用いて規定される条件式である−０．０５２６３×ＣＣＴ’＋０．３５＜ＴY／ＴR＜０．２７６３１６×ＣＣＴ’−０．０５を満たす。また、白色発光装置は、相関色温度が１８００Ｋ以上であって３１００Ｋ以下である光を発する。より好ましくは、前記ＴY／ＴRが、前記ＣＣＴ’を用いて規定される条件式である−０．０６５７９×ＣＣＴ’＋０．５５＜ＴY／ＴR＜０．１３１５７９×ＣＣＴ’−０．２０を満たす。また、白色発光装置は、相関色温度が１８００Ｋ以上であって４４００Ｋ以下である光を発する。
【００１０】
前記半導体発光素子は、ピーク波長が４２０ｎｍ以上であって４８０ｎｍ以下である光を発してもよい。ピーク波長を前記波長範囲とすると波長範囲が３５０ｎｍ以上４２０未満のものと比較してストークスロスを少なくすることができるので、ピーク波長を前記波長範囲の半導体発光素子を用いることで、白色発光装置としたときの発光効率を高めることができる。
【００１１】
また、前記蛍光体部は、青色蛍光体部を含み、前記青色蛍光体部は、前記半導体発光素子が発した光によって励起されて青色光を発する前記青色蛍光体を含有してもよい。前記蛍光体部が前記青色蛍光体部を含む場合に、前記半導体発光素子は、ピーク波長が３８０ｎｍ以上であって４２０ｎｍ以下である光を発してもよい。
【００１２】
前記蛍光体部は、各色の蛍光体を保持するための保持部材と、前記保持部材に層状をなして並設されて保持される前記緑色蛍光体、前記黄色蛍光体、および前記赤色蛍光体とを含んでもよい。また、前記蛍光体部は、第１領域と第２領域との２つの領域に区分され、前記第１領域と前記第２領域とは、前記黄色蛍光体部の面積ＴYと前記赤色蛍光体部の面積ＴRとの比が互いに異なり、前記第１領域と前記第２領域との間で、前記半導体発光素子が発した光を受光する領域を変更可能であってもよい。前記保持部材には、互いに隣接する各色の蛍光体部の間に、一の色の蛍光体が発した光を他の色の蛍光体が受光することを抑制する仕切り部材が設けられていてもよい。
【００１３】
各色の蛍光体部に応じて、底面に前記半導体発光素子が設置された凹部がそれぞれ基板に設けられ、前記各色の蛍光体部は、それぞれ前記凹部内に保持されてそれぞれ前記半導体発光素子を覆うように構成されていてもよい。
【００１４】
また、前記赤色蛍光体部から発せられた光のスペクトルにおいて、前記半導体発光素子によって発せられた光のピーク強度の値が、前記赤色蛍光体部が発した光の最大ピーク強度の０．３％以上の値であることが好ましい。前記黄色蛍光体部から発せられた光のスペクトルにおいて、前記半導体発光素子によって発せられた光のピーク強度の値が、前記黄色蛍光体部が発した光の最大ピーク強度の０．３％以上であって３０％以下の値であることが好ましい。
【００１５】
また、上記目的を達成するための本発明による半導体発光システムは、以上に述べたような白色発光装置を複数備え、各白色発光装置における前記黄色蛍光体の領域の面積ＴYと前記赤色蛍光体の領域の面積ＴRとの比がそれぞれ異なることを特徴とする。当該半導体発光システムは、各白色発光装置における前記半導体発光素子に流れる電流をそれぞれ制御する電流制御手段を含んでいてもよい。
【発明の効果】
【００１６】
本発明によれば、多くの試行錯誤を行うことなく各蛍光体部の面積比を適切に決定し、Ｒａが８０を超える値を有して、所望の相関色温度の光を発する発光効率の高い白色発光装置を実現することができる。ＴY／ＴRが、当該白色発光装置が発する光の相関色温度の１／１０００の値であるＣＣＴ’を用いて規定される条件式である−０．０５２６３×ＣＣＴ’＋０．３５＜ＴY／ＴR＜０．２７６３１６×ＣＣＴ’−０．０５を満たすように白色発光装置が構成されている場合には、Ｒａが８５を超える値であって、所望の相関色温度の光を発する白色発光装置を実現するために、多くの試行錯誤を行うことなく各蛍光体部の面積比を決定することができる。ＴY／ＴRが、当該白色発光装置が発する光の相関色温度の１／１０００の値であるＣＣＴ’を用いて規定される条件式である−０．０６５７９×ＣＣＴ’＋０．５５＜ＴY／ＴR＜０．１３１５７９×ＣＣＴ’−０．２０を満たすように白色発光装置が構成されている場合には、Ｒａが９０を超える値であって、所望の相関色温度の光を発する白色発光装置を実現するために、多くの試行錯誤を行うことなく各蛍光体部の面積比を決定することができる。
【００１７】
蛍光体部が、各色の蛍光体を保持するための保持部材と、保持部材に層状をなして並設されて保持される緑色蛍光体、黄色蛍光体、および赤色蛍光体とを含むように構成されている場合には、蛍光体部を半導体発光素子から離間させて、当該半導体発光素子が発した熱によって蛍光体部に含まれる各蛍光体が劣化し、発光特性等の特性が劣化することを防ぐことができる。
【００１８】
蛍光体部が、第１領域と第２領域との２つの領域に区分され、第１領域と第２領域とが、黄色蛍光体部の面積ＴYと赤色蛍光体部の面積ＴRとの比が互いに異なり、第１領域と第２領域との間で、半導体発光素子が発した光を受光する領域を変更可能であるように構成されている場合には、第１領域のＴYとＴRとの面積比に応じた光と、第２領域のＴYとＴRとの面積比に応じた光との間で、当該白色発光装置が発する光の特性を調整することができる。
【００１９】
保持部材には、互いに隣接する各色の蛍光体部の間に、一の色の蛍光体が発した光を他の色の蛍光体が受光することを抑制する仕切り部材が設けられている場合には、一の色の蛍光体によって発せられた光を他の色の蛍光体が吸収して励起光を発するカスケード励起が生じることを抑制することができる。
【００２０】
各色の蛍光体部に応じて、底面に半導体発光素子が設置された凹部がそれぞれ基板に設けられ、各色の蛍光体部は、それぞれ凹部内に保持されてそれぞれ半導体発光素子を覆うように構成されている場合には、隣接する凹部内に保持されている蛍光体部に含まれる蛍光体間のカスケード励起の発生を抑制し、発光効率を向上させることができる。
【００２１】
本発明による半導体発光システムによれば、一の白色発光装置が発した光と、他の白色発光装置が発した光との間で、当該半導体発光システムが発する光の特性を調整することができる。
【図面の簡単な説明】
【００２２】
【図１】本発明の第１実施形態の発光装置の構成を示す概略斜視図である。
【図２】発光装置の他の例を示す概略斜視図である。
【図３】発光装置のさらに他の例を示す概略斜視図である。
【図４】相関色温度２７００Ｋの光を発する発光装置のＲａを示す説明図である。
【図５】相関色温度３５００Ｋの光を発する発光装置のＲａを示す説明図である。
【図６】相関色温度４５００Ｋの光を発する発光装置のＲａを示す説明図である。
【図７】相関色温度５５００Ｋの光を発する発光装置のＲａを示す説明図である。
【図８】相関色温度６５００Ｋの光を発する発光装置のＲａを示す説明図である。
【図９】Ｒａが８０を超える要件を示す説明図である。
【図１０】Ｒａが８５を超える要件を示す説明図である。
【図１１】Ｒａが９０を超える要件を示す説明図である。
【図１２】表２に示されている各番号の発光装置の、発する光の相関色温度に対する赤色蛍光体部に対する黄色蛍光体部の面積比を示すグラフである。
【図１３】表２に示されている番号が１〜５の発光装置の分光放射束を示すグラフである。
【図１４】表２に示されている番号が６〜１１の発光装置の分光放射束を示すグラフである。
【図１５】表２に示されている番号が１２〜１６の発光装置の分光放射束を示すグラフである。
【図１６】表２に示されている番号が１７〜２２の発光装置の分光放射束を示すグラフである。
【図１７】表２に示されている番号が２３〜２８の発光装置の分光放射束を示すグラフである。
【図１８】相関色温度２７００Ｋの光を発するように面積比が設定された発光装置において、黄色蛍光体部の励起光透過率に対する全光束を示すグラフである。
【図１９】相関色温度３５００Ｋの光を発するように面積比が設定された発光装置において、黄色蛍光体部の励起光透過率に対する全光束を示すグラフである。
【図２０】相関色温度４５００Ｋの光を発するように面積比が設定された発光装置において、黄色蛍光体部の励起光透過率に対する全光束を示すグラフである。
【図２１】相関色温度５５００Ｋの光を発するように面積比が設定された発光装置において、黄色蛍光体部の励起光透過率に対する全光束を示すグラフである。
【図２２】相関色温度６５００Ｋの光を発するように面積比が設定された発光装置において、黄色蛍光体部の励起光透過率に対する全光束を示すグラフである。
【図２３】相関色温度２７００Ｋの光を発するように面積比が設定された発光装置において、赤色蛍光体部の励起光透過率に対する全光束を示すグラフである。
【図２４】相関色温度３５００Ｋの光を発するように面積比が設定された発光装置において、赤色蛍光体部の励起光透過率に対する全光束を示すグラフである。
【図２５】相関色温度４５００Ｋの光を発するように面積比が設定された発光装置において、赤色蛍光体部の励起光透過率に対する全光束を示すグラフである。
【図２６】相関色温度５５００Ｋの光を発するように面積比が設定された発光装置において、赤色蛍光体部の励起光透過率に対する全光束を示すグラフである。
【図２７】相関色温度６５００Ｋの光を発するように面積比が設定された発光装置において、赤色蛍光体部の励起光透過率に対する全光束を示すグラフである。
【図２８】第２実施形態の発光装置を示す概略側面図である。
【図２９】第３実施形態の発光装置を示す概略側面図である。
【図３０】第４実施形態の発光装置を示す概略側面図である。
【図３１】複数の発光装置を含む発光システムの例を示す概略説明図である。
【発明を実施するための形態】
【００２３】
以下、図面に基づき本発明の実施形態について説明する。なお、本発明は以下に説明する内容に限定されるものではなく、その要旨から逸脱しない範囲において任意に変更して実施することが可能である。また、本実施形態の説明に用いる図面は、いずれも本発明による発光装置１などの特性を模式的に示すものであって、理解を深めるべく、必要に応じて部分的な強調、拡大、縮小、または省略などを行っている場合がある。更に、用いられている様々な数値は、いずれも一例を示すものであり、必要に応じて様々に変更することが可能である。
【００２４】
［第１実施形態］
図１は、本発明の第１実施形態の発光装置１の構成を示す概略斜視図である。図１に示すように、本発明の第１実施形態の発光装置１は、蛍光体部２とＬＥＤ部３とを含む。そして、ＬＥＤ部３は、複数の青色ＬＥＤ３ｂを含む。図１に示す例では、青色ＬＥＤ３ｂは、基板による平面上に等間隔で設置されている。
【００２５】
蛍光体部２は、青色ＬＥＤ３ｂが設置されている平面に向かいあう面を有するように膜状または板状に成形されている保持部材を含む。そして、蛍光体部２において、当該保持部材に、複数の黄色蛍光体部２ｙ（図１において網掛けで示されている部分）と、複数の赤色蛍光体部２ｒ（図１において右下がり斜線で示されている部分）と、複数の緑色蛍光体部２ｇ（図１において左下がり斜線で示されている部分）と、隣接する各色の蛍光体部２ｙ，２ｒ，２ｇの境界に設けられた仕切り部２ｗとが形成されている。つまり、図１に示すように、複数の黄色蛍光体部２ｙと複数の赤色蛍光体部２ｒと複数の緑色蛍光体部２ｇとが仕切り部２ｗを挟んで並設されている。なお、保持部材としては、例えば、透明樹脂材やガラス材等が用いられる。なお、透明樹脂材として、例えば、熱可塑性樹脂や、熱硬化性樹脂、光硬化性樹脂等が用いられるが、ＬＥＤから発せられる光に対して十分な透明性と耐久性とを有した材料が用いられることが好ましい。そのような材料に、ポリ（メタ）アクリル酸メチル等の（メタ）アクリル樹脂、ポリスチレンやスチレン−アクリロニトリル共重合体等のスチレン樹脂、ポリカーボネート樹脂、ポリエステル樹脂、フェノキシ樹脂、ブチラール樹脂、ポリビニルアルコール、エチルセルロースやセルロースアセテートやセルロースアセテートブチレート等のセルロース系樹脂、エポキシ樹脂、フェノール樹脂、シリコーン樹脂等がある。また、無機系材料に、例えば、金属アルコキシド、セラミックス前駆体ポリマー、もしくは金属アルコキシドを含有する溶液をゾル−ゲル法により加水分解重合してなる溶液、またはこれらの組み合わせを固化した無機系材料、例えば、シロキサン結合を有する無機系材料やガラスがある。
【００２６】
「複数の黄色蛍光体部２ｙと複数の赤色蛍光体部２ｒと複数の緑色蛍光体部２ｇとが仕切り部２ｗを挟んで並設されている」とは、膜状または板状に成形された保持部材による蛍光体部２における厚さ方向の一方の面（例えば、ＬＥＤ部３に対向する面）において、仕切り部２ｗによって仕切られた各領域に各色の蛍光体部２ｙ，２ｒ，２ｇがスクリーン印刷等で塗布されていることをいう。つまり、複数の黄色蛍光体部２ｙと複数の赤色蛍光体部２ｒと複数の緑色蛍光体部２ｇとは、膜状または板状の蛍光体部２の厚さ方向の面に並べられている。
【００２７】
なお、仕切り部２ｗには、例えば、アルミナ系セラミックや、セラミック、樹脂、ガラスエポキシ、樹脂中にフィラーを含有した複合樹脂などから選択された材料が用いられてもよい。なお、各色の蛍光体部内に光を反射させるために、アルミナ粉末、シリカ粉末、酸化マグネシウム、酸化チタンなどの白色顔料を含むシリコーン樹脂が用いられてもよい。
【００２８】
また、保持部材には、例えば、透光性を有する樹脂材が膜状または板状に成形された部材が用いられる。青色ＬＥＤ３ｂが設置されている基板は、絶縁基板であり、様々な材料が適用可能である。例えば、セラミックス、樹脂、ガラスエポキシ、樹脂中にフィラーを含有した複合樹脂等から選択された材料を用いてもよい。例えば、光の反射率を良くして蛍光体部２の光取り出し効率を向上させる上では、アルミナ粉末、シリカ粉末、酸化マグネシウム、酸化チタン等の白色顔料を含むシリコーン樹脂を用いるのが好ましい。また例えば、銅製基板やアルミ製基板等の金属製基板を用いて放熱性を向上させることも可能であるが、この場合は、電気的絶縁を間に介して基板に配線パターンを形成する必要がある。
【００２９】
基板は、好ましくはアルミナ系セラミックス基板、ジルコニア−アルミナ系セラミックス基板及びガラス−セラミックス基板からなる群から選ばれる１つを絶縁基板として用いるのが好ましく、特に反射率８５％以上、さらには９０〜９５％の反射率を有するものを用いるのがより好ましい。それによって蛍光体部２からの光取り出し効率をより向上させることができる。また上記の基板はいずれも熱伝導率が高く、これらの基板を採用することによって、青色ＬＥＤ２ｂが発する熱を効率良く放熱することが可能になる。したがって発光装置１の信頼性をより向上させることができる。さらに、これらの基板はいずれも成形性に優れていることから、これらの基板を用いることによって製造がより容易になる。それによって発光装置１の製造コストをより低減させることができる。
【００３０】
また基板に、表面にのみ配線パターンが形成された単層基板を採用する場合には、裏面全体に銅箔等を設けてもよい。それによってヒートシンク等に対する基板の裏面からの放熱効率を向上させることができるので、発光装置１の放熱性能をより向上させることができる。さらに基板には、例えばネジ止め固定用の貫通孔や切り欠き部等が適宜設けられていてもよい。
【００３１】
青色ＬＥＤ２ｂに電力を供給するための配線パターンを基板に形成するために、例えば、スクリーン印刷による方法やフォトリソエッチングによる方法等、公知の方法を用いることができる。またインクジェットヘッドから導電性インクや金属粒子等を噴射して配線パターンを形成する方法を用いることもできる。
【００３２】
図１に示す例では、蛍光体部２は、ＬＥＤ部３の上方に設置されている。従って、蛍光体部２には、ＬＥＤ部３が発した光が下方から入射する。そして、蛍光体部２は、入射した光によって励起された蛍光、および入射した光の透過光を上方に発する。従って、膜状または板状の蛍光体部２の厚さ方向の両面のうち、ＬＥＤ部３に向かい合う面からＬＥＤ部３が発した光である励起光が入射し、当該面の反対側の面から発光装置１から放出される蛍光および透過光が出射する。なお、蛍光体部２は、ＬＥＤ部３が設置されている位置に応じて、ＬＥＤ部３によって発せられた光が入射する位置に設置される。図１に示す例では、各蛍光体部２ｙ，２ｒ，２ｇの数が同じであるように示されているが、各蛍光体部２ｙ，２ｒ，２ｇの数が互いに異なるように構成されていてもよい。
【００３３】
なお、図１に示す例では、各蛍光体部２ｙ，２ｒ，２ｇに応じて青色ＬＥＤ３ｂがそれぞれ設置されている。つまり、図１に示す例では、各蛍光体部２ｙ，２ｒ，２ｇと青色ＬＥＤ３ｂとがそれぞれ１対１に対応するように構成されている。しかし、一の青色ＬＥＤ３ｂが発した光が複数の蛍光体部に入射するように構成されていてもよいし、複数の青色ＬＥＤ３ｂが発した光が一の蛍光体部に入射するように構成されていてもよいし、複数の青色ＬＥＤ３ｂが発した光が複数の蛍光体部に入射するように構成されていてもよい。
【００３４】
蛍光体部２とＬＥＤ部３との間の距離は、０．０１ｍｍ以上であることが好ましく、０．３ｍｍ以上であることがより好ましく、０．５ｍｍ以上であることがさらに好ましく、１ｍｍ以上であることが特に好ましく、５００ｍｍ以下であることが好ましく、３００ｍｍ以下であることがより好ましく、１００ｍｍ以下であることがさらに好ましく、１０ｍｍ以下であることが特に好ましい。
【００３５】
なお、蛍光体部の厚さは、１ｍｍ以下であることが好ましく、５００μｍ以下であることがより好ましく、３００μｍ以下であることが更に好ましい。また、１μｍ以上であることが好ましく、５μｍ以上であることがより好ましい。また、後述する蛍光体部２の励起光透過率は、９０％以下であることが好ましく、７０％以下であることがより好ましく、６０％以下であることがさらに好ましい。また、０．０１％以上であることが好ましく、０．０５％以上であることがより好ましい。
【００３６】
蛍光体部２とＬＥＤ部３との間の距離が短いことが好ましい理由は、ＬＥＤ部３が発した光によって一の蛍光体部で励起された蛍光がＬＥＤ部３等に反射して他の蛍光体部に入射し、後述するカスケード励起が生じることを抑制するためである。なお、蛍光体部２に対するＬＥＤ部３によって発せられた熱の影響を防ぐために、例えば、蛍光体部２とＬＥＤ部３とは接しないように構成されている。
【００３７】
図２は、発光装置１の他の例を示す概略斜視図である。図１に示す例では、説明の簡単のため、各色の蛍光体部２ｙ，２ｒ，２ｇのそれぞれの数と面積とが同じであるように示されているが、所望の色度や色温度の光を発し、かつ、所望の演色性の発光装置１を実現するために、図２に示されているように、各色の蛍光体部２ｙ，２ｒ，２ｇのそれぞれの面積が異なるように構成されていてもよい。そのように構成することで、各色の蛍光体部２ｙ，２ｒ，２ｇのそれぞれ合計面積を異ならせることができる。また、各色の蛍光体部２ｙ，２ｒ，２ｇの数を異ならせることによって、各色の蛍光体部２ｙ，２ｒ，２ｇのそれぞれ合計面積を異ならせてもよい。各色の蛍光体部２ｙ，２ｒ，２ｇのそれぞれ合計面積を異ならせることによって、各色の蛍光体部２ｙ，２ｒ，２ｇの面積比を異ならせることができる。従って、各色の蛍光体部２ｙ，２ｒ，２ｇの面積比を異ならせるために、各色の蛍光体部２ｙ，２ｒ，２ｇの数を異ならせる方法と、それぞれ複数設けられている各色の蛍光体部２ｙ，２ｒ，２ｇの各々の面積を異ならせる方法とがある。
【００３８】
図３は、発光装置１のさらに他の例を示す概略斜視図である。図１および図２に示す例では、ＬＥＤ部３に青色ＬＥＤ３ｂが設置されているが、ＬＥＤ部３に、青色ＬＥＤ３ｂに代えて紫色ＬＥＤ３ｐが設置されてもよい。紫色ＬＥＤ３ｐが設置された場合、当該紫色ＬＥＤ３ｐが発した光によって励起されて青色光を発する青色蛍光体部２ｂが設けられる。この青色蛍光体部２ｂは、膜状または板状に形成されて蛍光体部２とＬＥＤ部３との間に介装され、当該青色蛍光体部２ｂが発した青色光が蛍光体部２ｙ，２ｒ，２ｇに入射するように構成される。この場合には、青色蛍光体部２ｂは、蛍光体部２と接して設けられていてもよく、ＬＥＤ部３と接して設けられていてもよい。
【００３９】
また、ＬＥＤ部３に、青色ＬＥＤ３ｂとともに紫色ＬＥＤ３ｐが設置されてもよい。青色ＬＥＤ３ｂとともに紫色ＬＥＤ３ｐが設置された場合、青色蛍光体部２ｂが各色の蛍光体部２ｙ，２ｒ，２ｇに並設される。そして、紫色ＬＥＤ３ｐは発した光が青色蛍光体２ｂに入射する位置に設置され、青色ＬＥＤ３ｂは発した光が各色の蛍光体部２ｙ，２ｒ，２ｇに入射する位置に設置される。
【００４０】
ここで、上述した各蛍光体の具体例について以下に説明する。なお、これら蛍光体は本実施形態において好適な蛍光体を例示するものであるが、適用可能な蛍光体は以下に限定されるものではなく、本発明の要旨から逸脱しない限りにおいて、様々な種類の蛍光体を適用することが可能である。
【００４１】
（赤色蛍光体）
赤色蛍光体の発光ピーク波長は、通常は５７０ｎｍ以上、好ましくは５８０ｎｍ以上、より好ましくは５８５ｎｍ以上であって、通常は７８０ｎｍ以下、好ましくは７００ｎｍ以下、より好ましくは６８０ｎｍ以下の波長範囲にあるものが好適である。なかでも、赤色蛍光体として、例えば、（Ｃａ，Ｓｒ，Ｂａ）2Ｓｉ5（Ｎ，Ｏ）8：Ｅｕ、（Ｃａ，Ｓｒ，Ｂａ）Ｓｉ（Ｎ，Ｏ）2：Ｅｕ、（Ｃａ，Ｓｒ，Ｂａ）ＡｌＳｉ（Ｎ，Ｏ）3：Ｅｕ、（Ｓｒ，Ｂａ）3ＳｉＯ5：Ｅｕ、（Ｃａ，Ｓｒ）Ｓ：Ｅｕ、ＳｒＡｌＳｉ4Ｎ7：Ｅｕ、（Ｌａ，Ｙ）2Ｏ2Ｓ：Ｅｕ、Ｅｕ（ジベンゾイルメタン）３・１、１０−フェナントロリン錯体などのβ−ジケトン系Ｅｕ錯体、カルボン酸系Ｅｕ錯体、Ｍｎ付活Ｆ系錯体が好ましく、（Ｃａ，Ｓｒ，Ｂａ）2Ｓｉ5（Ｎ，Ｏ）8：Ｅｕ、（Ｓｒ，Ｃａ）ＡｌＳｉ（Ｎ，Ｏ）3：Ｅｕ、ＳｒＡｌＳｉ4Ｎ7：Ｅｕ、（Ｌａ，Ｙ）2Ｏ2Ｓ：Ｅｕ、Ｋ2ＳｉＦ6：Ｍｎ（ただし、Ｓｉの一部がＡｌやＮａで置換されていてもよい）がより好ましい。なお、本例では、赤色蛍光体として、発光ピーク波長が６３９ｎｍであり、半値幅が８９ｎｍである（Ｓｒ，Ｃａ）1ＡｌＳｉＮ3：Ｅｕが用いられている。
【００４２】
（緑色蛍光体）
緑色蛍光体の発光ピーク波長は、通常は５００ｎｍ以上、好ましくは５１０ｎｍ以上、より好ましくは５１５ｎｍ以上であって、通常は５５０ｎｍ以下、好ましくは５４２ｎｍ以下、より好ましくは５３５ｎｍ以下の波長範囲にあるものが好適である。なかでも、緑色蛍光体として、例えば、Ｙ3（Ａｌ，Ｇａ）5Ｏ12：Ｃｅ、ＣａＳｃ2Ｏ4：Ｃｅ、Ｃａ3（Ｓｃ，Ｍｇ）2Ｓｉ3Ｏ12：Ｃｅ、（Ｓｒ，Ｂａ）2ＳｉＯ4：Ｅｕ、（Ｓｉ，Ａｌ）6（Ｏ，Ｎ）8：Ｅｕ（β−サイアロン）、（Ｂａ，Ｓｒ）3Ｓｉ6Ｏ12Ｎ2：Ｅｕ、ＳｒＧａ2Ｓ4：Ｅｕ、ＢａＭｇＡｌ10Ｏ17：Ｅｕ，Ｍｎが好ましい。なお、本例では、緑色蛍光体として、発光ピーク波長が５１７ｎｍであり、半値幅が１０６ｎｍであるＣａ3（Ｓｃ，Ｍｇ）2Ｓｉ3Ｏ12：Ｃｅが用いられている。
【００４３】
（黄色蛍光体）
黄色蛍光体の発光ピーク波長は、通常は５３０ｎｍ以上、好ましくは５４０ｎｍ以上、より好ましくは５５０ｎｍ以上であって、通常は６２０ｎｍ以下、好ましくは６００ｎｍ以下、より好ましくは５８０ｎｍ以下の波長範囲にあるものが好適である。なかでも、黄色蛍光体として、例えば、Ｙ3Ａｌ5Ｏ12：Ｃｅ、（Ｙ，Ｇｄ）3Ａｌ5Ｏ12：Ｃｅ、（Ｓｒ，Ｃａ，Ｂａ，Ｍｇ）2ＳｉＯ4：Ｅｕ、（Ｃａ，Ｓｒ）Ｓｉ2Ｎ2Ｏ2：Ｅｕ、α−サイアロン、Ｌａ3Ｓｉ6Ｎ11：Ｃｅ（ただし、その一部がＣａやＯで置換されていてもよい）が好ましい。なお、本例では、黄色蛍光体として、発光ピーク波長が５５９ｎｍであり、半値幅が１１３ｎｍであるＹ3Ａｌ5Ｏ12：Ｃｅが用いられている。
【００４４】
（青色蛍光体）
青色蛍光体部２ｂが用いられる場合の青色蛍光体の発光ピーク波長は、通常は４２０ｎｍ以上、好ましくは４３０ｎｍ以上、より好ましくは４４０ｎｍ以上であって、通常は５００ｎｍ未満、好ましくは４９０ｎｍ以下、より好ましくは４８０ｎｍ以下、更に好ましくは４７０ｎｍ以下、特に好ましくは４６０ｎｍ以下の波長範囲にあるものが好適である。なかでも、青色蛍光体として、例えば、（Ｃａ，Ｓｒ，Ｂａ）ＭｇＡｌ10Ｏ17：Ｅｕ、（Ｓｒ，Ｃａ，Ｂａ，Ｍｇ）10（ＰＯ4）6（Ｃｌ，Ｆ）2：Ｅｕ、（Ｂａ，Ｃａ，Ｍｇ，Ｓｒ）2ＳｉＯ4：Ｅｕ、（Ｂａ，Ｃａ，Ｓｒ）3ＭｇＳｉ2Ｏ8：Ｅｕが好ましく、（Ｂａ，Ｓｒ）ＭｇＡｌ10Ｏ17：Ｅｕ、（Ｃａ，Ｓｒ，Ｂａ）10（ＰＯ4）6（Ｃｌ，Ｆ）2：Ｅｕ、Ｂａ3ＭｇＳｉ2Ｏ8：Ｅｕがより好ましく、Ｓｒ10（ＰＯ4）6Ｃｌ2：Ｅｕ、（Ｓｒ1-xＢａx）10（ＰＯ4）6Ｃｌ2：Ｅｕ（ｘ＞０）、ＢａＭｇＡｌ10Ｏ17：Ｅｕが特に好ましい。
【００４５】
（実施例）
以下、発明者らが行ったシミュレーション実験結果について説明する。発明者らは、図１に示す構成において、蛍光体部２ｙ，２ｒ，２ｇをそれぞれモデル化し、光線追跡シミュレーションを行った。光線追跡シミュレーションにおいて、励起光透過率が０．１％〜５０．０％になるように、１５種類の厚さの蛍光体部２ｙ，２ｒ，２ｇをそれぞれモデル化した。
【００４６】
ここで、励起光透過率とは、各色の蛍光体部のそれぞれについて、発せられた光の最大ピーク強度に対して、当該光のうち青色ＬＥＤ３ｂによって発せられた光の成分のピーク強度の割合の百分率をいう。具体的には、一の蛍光体部の励起光透過率は、当該一の蛍光体部から発せられた光の最大ピーク強度に対して、当該光のうち青色ＬＥＤ３ｂによって発せられた光の成分のピーク強度の割合の百分率をいう。
【００４７】
（蛍光体部の厚さ）
本例では、１５種類の厚さの蛍光体部２ｙ，２ｒ，２ｇがそれぞれモデル化されている。表１は、１５種類の厚さの蛍光体部２ｙ，２ｒ，２ｇの励起光透過率を示す表である。
【００４８】
【表１】
2013041876.tif 000003
【００４９】
具体的には、１０μｍ、２０μｍ、３０μｍ、４０μｍ、５０μｍ、６０μｍ、７０μｍ、８０μｍ、９０μｍ、１００μｍ、１１０μｍ、１２０μｍ、１３０μｍ、１４０μｍ、および１５０μｍの１５種類の厚さの蛍光体部２ｙ，２ｒ，２ｇのそれぞれについて、モデル化を行って励起光透過率を求めた。表１に示すように、黄色蛍光体部２ｙの励起光透過率は、厚みが１０μｍから１５０μｍまで増すにつれて、３７．１％から０．２％まで単調減少している。また、緑色蛍光体部２ｇの励起光透過率は、厚みが１０μｍから１５０μｍまで増すにつれて、４９．６％から１．５％まで単調減少している。赤色蛍光体部２ｒの励起光透過率は、厚みが１０μｍから１５０μｍまで増すにつれて、３３．１％から０．２％まで単調減少している。
【００５０】
なお、各蛍光体部２ｙ，２ｒ，２ｇにおける各蛍光体の重量濃度は、約７０％である。また、各蛍光体を保持するためのバインダ樹脂は、可視光をほとんど吸収しないものとし、屈折率は、１．５以下であるとした。
【００５１】
発明者らは、１５種類の厚さの蛍光体部２ｙ，２ｒ，２ｇのすべての組み合わせ（１５種類×１５種類×１５種類＝３３７５通り）について、発光装置１から所望の相関色温度（２７００Ｋ、３５００Ｋ、４５００Ｋ、５５００Ｋ、および６５００Ｋの５種類の相関色温度）の光が発せられるように各蛍光体部２ｙ，２ｒ，２ｇの面積比を決定した。つまり、３３７５通りの厚さの組み合わせについて、５種類の相関色温度の光を発するように各蛍光体部２ｙ，２ｒ，２ｇの面積比をそれぞれ決定した。そして、各蛍光体部２ｙ，２ｒ，２ｇが決定した面積比で構成された発光装置１が発する光の全光束およびＲａ（平均演色評価数）を算出した。従って、５種類の相関色温度のそれぞれについて、３３７５通りの蛍光体部２ｙ，２ｒ，２ｇの厚さの組み合わせに応じた全光束およびＲａを算出した。
【００５２】
図４から図８は、各相関色温度（２７００Ｋ、３５００Ｋ、４５００Ｋ、５５００Ｋ、および６５００Ｋ）の光を発する発光装置１のＲａを示す説明図である。図４から図８には、それぞれ３３７５通りの厚みの蛍光体部２ｙ，２ｒ，２ｇの組み合わせに応じたＲａが示されている。図４は、相関色温度２７００Ｋの光を発する発光装置１のＲａを示す説明図である。図４に示すように、黄色蛍光体部２ｙの赤色蛍光体部２ｒに対する面積比が０．１以上でＲａが８０を超えていることがわかる。また、黄色蛍光体部２ｙの赤色蛍光体部２ｒに対する面積比が１．２以下でＲａが８０を超えていると考えられる。従って、相関色温度２７００Ｋの光を発する発光装置１において、Ｒａが８０を超える黄色蛍光体部２ｙの赤色蛍光体部２ｒに対する面積比の最小値は０．１であり、最大値は１．２である。
【００５３】
また、図４に示すように、黄色蛍光体部２ｙの赤色蛍光体部２ｒに対する面積比が０．２以上でＲａが８５を超えていることがわかる。また、黄色蛍光体部２ｙの赤色蛍光体部２ｒに対する面積比が０．７以下でＲａが８５を超えていることがわかる。従って、相関色温度２７００Ｋの光を発する発光装置１において、Ｒａが８５を超える黄色蛍光体部２ｙの赤色蛍光体部２ｒに対する面積比の最小値は０．２であり、最大値は０．７である。図４から明らかなように、黄色蛍光体部２ｙの赤色蛍光体部２ｒに対する面積比が０、つまり、黄色蛍光体部２ｙを全く用いない場合にはＲａは最大でも８３にしかならないのに対して、本発明のように黄色蛍光体部２ｙを用いて、かつ、黄色蛍光体部２ｙの赤色蛍光体部２ｒに対する面積比を０．２以上０．７以下とすることでＲａが８５を超える発光装置１を実現することができる。
【００５４】
図４に示すように、黄色蛍光体部２ｙの赤色蛍光体部２ｒに対する面積比が０．３以上でＲａが９０を超えていることがわかる。また、黄色蛍光体部２ｙの赤色蛍光体部２ｒに対する面積比が０．６以下でＲａが９０を超えていることがわかる。従って、相関色温度２７００Ｋの光を発する発光装置１において、Ｒａが９０を超える黄色蛍光体部２ｙの赤色蛍光体部２ｒに対する面積比の最小値は０．３であり、最大値は０．６である。同様に、黄色蛍光体部２ｙの赤色蛍光体部２ｒに対する面積比が０、つまり、黄色蛍光体部２ｙを全く用いない場合にはＲａは最大でも８３にしかならないのに対して、本発明のように黄色蛍光体部２ｙを用いて、かつ、黄色蛍光体部２ｙの赤色蛍光体部２ｒに対する面積比を０．３以上０．６以下とすることでＲａが９０を超える発光装置１を実現することができる。
【００５５】
図５は、相関色温度３５００Ｋの光を発する発光装置１のＲａを示す説明図である。図５に示すように、黄色蛍光体部２ｙの赤色蛍光体部２ｒに対する面積比が０．０以上でＲａが８０を超えていることがわかる。また、黄色蛍光体部２ｙの赤色蛍光体部２ｒに対する面積比が１．８以下でＲａが８０を超えていることがわかる。従って、相関色温度３５００Ｋの光を発する発光装置１において、Ｒａが８０を超える黄色蛍光体部２ｙの赤色蛍光体部２ｒに対する面積比の最小値は０．０であり、最大値は１．８である。
【００５６】
また、図５に示すように、黄色蛍光体部２ｙの赤色蛍光体部２ｒに対する面積比が０．１５以上でＲａが８５を超えていることがわかる。また、黄色蛍光体部２ｙの赤色蛍光体部２ｒに対する面積比が１．０以下でＲａが８５を超えていることがわかる。従って、相関色温度３５００Ｋの光を発する発光装置１において、Ｒａが８５を超える黄色蛍光体部２ｙの赤色蛍光体部２ｒに対する面積比の最小値は０．１５であり、最大値は１．０である。
【００５７】
図５に示すように、黄色蛍光体部２ｙの赤色蛍光体部２ｒに対する面積比が０．３以上でＲａが９０を超えていることがわかる。また、黄色蛍光体部２ｙの赤色蛍光体部２ｒに対する面積比が０．８以下でＲａが９０を超えていることがわかる。従って、相関色温度３５００Ｋの光を発する発光装置１において、Ｒａが９０を超える黄色蛍光体部２ｙの赤色蛍光体部２ｒに対する面積比の最小値は０．３であり、最大値は０．８である。図５から明らかなように、黄色蛍光体部２ｙの赤色蛍光体部２ｒに対する面積比が０、つまり、黄色蛍光体部２ｙを全く用いない場合にはＲａは最大でも８８にしかならないのに対して、本発明のように黄色蛍光体部２ｙを用いて、かつ、黄色蛍光体部２ｙの赤色蛍光体部２ｒに対する面積比を０．３以上０．８以下とすることでＲａが９０を超える発光装置１を実現することができる。
【００５８】
図６は、相関色温度４５００Ｋの光を発する発光装置１のＲａを示す説明図である。図６に示すように、黄色蛍光体部２ｙの赤色蛍光体部２ｒに対する面積比が０．０以上でＲａが８０を超えていることがわかる。また、黄色蛍光体部２ｙの赤色蛍光体部２ｒに対する面積比が２．０以下でＲａが８０を超えていることがわかる。従って、相関色温度４５００Ｋの光を発する発光装置１において、Ｒａが８０を超える黄色蛍光体部２ｙの赤色蛍光体部２ｒに対する面積比の最小値は０．０であり、最大値は２．０である。
【００５９】
また、図６に示すように、黄色蛍光体部２ｙの赤色蛍光体部２ｒに対する面積比が０．０以上でＲａが８５を超えていることがわかる。また、黄色蛍光体部２ｙの赤色蛍光体部２ｒに対する面積比が１．３以下でＲａが８５を超えていることがわかる。従って、相関色温度４５００Ｋの光を発する発光装置１において、Ｒａが８５を超える黄色蛍光体部２ｙの赤色蛍光体部２ｒに対する面積比の最小値は０．０であり、最大値は１．３である。
【００６０】
図６に示すように、黄色蛍光体部２ｙの赤色蛍光体部２ｒに対する面積比が０．２５以上でＲａが９０を超えていることがわかる。また、黄色蛍光体部２ｙの赤色蛍光体部２ｒに対する面積比が０．９以下でＲａが９０を超えていることがわかる。従って、相関色温度４５００Ｋの光を発する発光装置１において、Ｒａが９０を超える黄色蛍光体部２ｙの赤色蛍光体部２ｒに対する面積比の最小値は０．２５であり、最大値は０．９である。
【００６１】
図７は、相関色温度５５００Ｋの光を発する発光装置１のＲａを示す説明図である。図７に示すように、黄色蛍光体部２ｙの赤色蛍光体部２ｒに対する面積比が０．０以上でＲａが８０を超えていることがわかる。また、黄色蛍光体部２ｙの赤色蛍光体部２ｒに対する面積比が２．５以下でＲａが８０を超えていることがわかる。従って、相関色温度５５００Ｋの光を発する発光装置１において、Ｒａが８０を超える黄色蛍光体部２ｙの赤色蛍光体部２ｒに対する面積比の最小値は０．０であり、最大値は２．５である。
【００６２】
また、図７に示すように、黄色蛍光体部２ｙの赤色蛍光体部２ｒに対する面積比が０．０以上でＲａが８５を超えていることがわかる。また、黄色蛍光体部２ｙの赤色蛍光体部２ｒに対する面積比が１．６以下でＲａが８５を超えていることがわかる。従って、相関色温度５５００Ｋの光を発する発光装置１において、Ｒａが８５を超える黄色蛍光体部２ｙの赤色蛍光体部２ｒに対する面積比の最小値は０．０であり、最大値は１．６である。
【００６３】
図７に示すように、黄色蛍光体部２ｙの赤色蛍光体部２ｒに対する面積比が０．１以上でＲａが９０を超えていることがわかる。また、黄色蛍光体部２ｙの赤色蛍光体部２ｒに対する面積比が１．０以下でＲａが９０を超えていることがわかる。従って、相関色温度５５００Ｋの光を発する発光装置１において、Ｒａが９０を超える黄色蛍光体部２ｙの赤色蛍光体部２ｒに対する面積比の最小値は０．１であり、最大値は１．０である。
【００６４】
図８は、相関色温度６５００Ｋの光を発する発光装置１のＲａを示す説明図である。図８に示すように、黄色蛍光体部２ｙの赤色蛍光体部２ｒに対する面積比が０．０以上でＲａが８０を超えていることがわかる。また、黄色蛍光体部２ｙの赤色蛍光体部２ｒに対する面積比が３．５以下でＲａが８０を超えていることがわかる。従って、相関色温度５５００Ｋの光を発する発光装置１において、Ｒａが８０を超える黄色蛍光体部２ｙの赤色蛍光体部２ｒに対する面積比の最小値は０．０であり、最大値は３．５である。
【００６５】
また、図８に示すように、黄色蛍光体部２ｙの赤色蛍光体部２ｒに対する面積比が０．０以上でＲａが８５を超えていることがわかる。また、黄色蛍光体部２ｙの赤色蛍光体部２ｒに対する面積比が１．７５以下でＲａが８５を超えていることがわかる。従って、相関色温度６５００Ｋの光を発する発光装置１において、Ｒａが８５を超える黄色蛍光体部２ｙの赤色蛍光体部２ｒに対する面積比の最小値は０．０であり、最大値は１．７５である。
【００６６】
図８に示すように、黄色蛍光体部２ｙの赤色蛍光体部２ｒに対する面積比が０．０５以上でＲａが９０を超えていることがわかる。また、黄色蛍光体部２ｙの赤色蛍光体部２ｒに対する面積比が１．１以下でＲａが９０を超えていることがわかる。従って、相関色温度６５００Ｋの光を発する発光装置１において、Ｒａが９０を超える黄色蛍光体部２ｙの赤色蛍光体部２ｒに対する面積比の最小値は０．０５であり、最大値は１．１である。
【００６７】
図９から図１１は、図４から図８に示す各相関色温度の光を発する発光装置１のＲａの算出結果にもとづいて、Ｒａが所定の値を超える要件を示す説明図である。図９は、Ｒａが８０を超える要件を示す説明図である。図９には、前述した各相関色温度において、Ｒａが８０を超える面積比の最小値が△で示され、最大値が●で示されている。そして、図９において、△で示されている各最小値を下回らないように設定された直線が破線で示され、●で示されている各最大値を上回らないように設定された直線が実線で示されている。そして、図９において破線で示された直線を下回らず、実線で示された直線を上回らない面積比ＴY／ＴRは、相関色温度の１／１０００の値であるＣＣＴ’を用いて規定される下記式（１）で表される条件を満たすことがわかる。
−０．０２６３２×ＣＣＴ’＋０．２０＜ＴY／ＴR＜０．６０５２６３×ＣＣＴ’−０．８０・・・（１）
【００６８】
図１０には、前述した各相関色温度において、Ｒａが８５を超える面積比の最小値が△で示され、最大値が●で示されている。そして、図１０において、△で示されている各最小値を下回らないように設定された直線が破線で示され、●で示されている各最大値を上回らないように設定された直線が実線で示されている。そして、図１０において破線で示された直線を下回らず、実線で示された直線を上回らない面積比ＴY／ＴRは、相関色温度の１／１０００の値であるＣＣＴ’を用いて規定される下記式（２）で表される条件を満たすことがわかる。
−０．０５２６３×ＣＣＴ’＋０．３５＜ＴY／ＴR＜０．２７６３１６×ＣＣＴ’−０．０５・・・（２）
【００６９】
特に、相関色温度が１８００Ｋ以上、好ましくは１９００Ｋ以上、より好ましくは２０００Ｋ以上、さらに好ましくは２２００Ｋ以上、特に好ましくは２５００Ｋ以上で、かつ、３１００Ｋ以下、好ましくは３０００Ｋ以下、より好ましくは２９００Ｋ以下、さらに好ましくは２８００Ｋ以下のときに上記式（２）を満たすことで、黄色蛍光体部２ｙを全く用いない場合の最大値であるＲａ８３を超える、Ｒａ８５超過の発光装置１を実現することが可能になる。
【００７０】
図１１には、前述した各相関色温度において、Ｒａが９０を超える面積比の最小値が△で示され、最大値が●で示されている。そして、図１１において、△で示されている各最小値を下回らないように設定された直線が破線で示され、●で示されている各最大値を上回らないように設定された直線が実線で示されている。そして、図１１において破線で示された直線を下回らず、実線で示された直線を上回らない面積比ＴY／ＴRは、相関色温度の１／１０００の値であるＣＣＴ’を用いて規定される下記式（３）で表される条件を満たすことがわかる。
−０．０６５７９×ＣＣＴ’＋０．５５＜ＴY／ＴR＜０．１３１５７９×ＣＣＴ’−０．２０・・・（３）
【００７１】
特に、相関色温度が１８００Ｋ以上、好ましくは１９００Ｋ以上、より好ましくは２０００Ｋ以上、さらに好ましくは２２００Ｋ以上、特に好ましくは２５００Ｋ以上で、かつ、４４００Ｋ以下、好ましくは４２００Ｋ以下、より好ましくは４０００Ｋ以下、さらに好ましくは３８００Ｋ、特に好ましくは３６００Ｋ以下のときに上記式（３）を満たすことで、黄色蛍光体部２ｙを全く用いない場合の最大値であるＲａ８８を超える、Ｒａ９０超過の発光装置１を実現することが可能になる。
【００７２】
図９から図１１に示すように、黄色蛍光体部２ｙの赤色蛍光体部２ｒに対する面積比ＴY／ＴRの値は、大きすぎても（具体的には、図９から図１１に示すグラフにおいて、実線で示された直線を上回る値であっても）、小さすぎても（具体的には、図９から図１１に示すグラフにおいて、破線で示された直線を下回る値であっても）Ｒａの値が小さくなってしまう。その理由について説明する。４５０ｎｍ程度を発光ピーク波長とする青色ＬＥＤと、当該青色ＬＥＤが発した光によって励起されて５２０ｎｍ程度をピーク波長とする緑色光を発する緑色蛍光体と、当該青色ＬＥＤが発した光によって励起されて６４０ｎｍ程度をピーク波長とする赤色光を発する赤色蛍光体とによって白色光を発する発光装置が構成された場合について考える。緑色蛍光体と赤色蛍光体とが混合されて構成されたときには、青色ＬＥＤが発した光によって励起されて緑色蛍光体が発した緑色光が赤色蛍光体によって吸収され、赤色蛍光体が、吸収した緑色光と青色ＬＥＤが発した光とによって励起されて赤色光を発するカスケード励起が生じる。カスケード励起が生じると緑色光が赤色蛍光体によって吸収されることを要因として、当該発光装置から発せられる白色光の全光束数が少なくなってしまうという問題が生じる。
【００７３】
そこで、本発明のように、緑色蛍光体と赤色蛍光体とを領域毎に分ける（並設する）ことが考えられるが、単に緑色蛍光体と赤色蛍光体とを領域毎に分けると、緑色光の強度低下は抑制できるものの、緑色光と赤色光との間の波長の光の成分が不足し、Ｒａが低下してしまう。そこで、緑色光と赤色光との間の波長の光の成分を補充するために、黄色蛍光体の領域を設けることが考えられるが、単に黄色蛍光体の領域を設けても、黄色蛍光体の領域の面積が狭すぎれば低下したＲａを回復させることができず、黄色蛍光体の領域の面積が広すぎれば、発光装置によって発せられる白色光において黄色が支配的となってしまい、やはり、Ｒａを高めることができない。よって、黄色蛍光体部２ｙの赤色蛍光体部２ｒに対する面積比ＴY／ＴRの値は、大きすぎても、小さすぎてもＲａの値が小さくなってしまうのである。なお、黄色蛍光体部２ｙの赤色蛍光体部２ｒに対する面積比ＴY／ＴRの値が決定されれば、黄色蛍光体部２ｙの緑色蛍光体部２ｇに対する面積比も従属的に決定される。例えば、上記式（１）を満たす発光装置１を得るには、目的とする相関色温度からＣＣＴ’を算出し、上記式（１）にＣＣＴ’を代入することで、上記式（１）を満たす黄色蛍光体部２ｙの面積ＴY及び赤色蛍光体部２ｒの面積ＴRを決定し、その上で発光装置１が発する光の相関色温度が目的とする値となるように緑色蛍光体部２ｇの面積ＴGを決定すればよい。また、上記式（２）又は（３）を満たす発光装置１についても同様である。
【００７４】
また、図９から図１１に示すように、黄色蛍光体部２ｙの赤色蛍光体部２ｒに対する面積比ＴY／ＴRの値は、相関色温度の値が大きくなるにつれて上限値が大きくなり、下限値が小さくなっている。その理由について説明する。相関色温度が低い場合、蛍光体部２における赤色蛍光体部２ｒの面積が他の蛍光体部２ｙ，２ｇに対して大きくなり、黄色蛍光体部２ｙおよび緑色蛍光体部２ｇの面積は相対的に小さくなる。従って、相関色温度の値が小さい場合には、赤色蛍光体部２ｒに対する黄色蛍光体部２ｙのとり得る面積範囲は狭くなり、黄色蛍光体部２ｙの赤色蛍光体部２ｒに対する面積比ＴY／ＴRの値の上限値は小さくなり、下限値が大きくなる。
【００７５】
また、相関色温度が高い場合、蛍光体部２における赤色蛍光体部２ｒの面積が他の蛍光体部２ｙ，２ｇに対して小さくなり、黄色蛍光体部２ｙおよび緑色蛍光体部２ｇの面積は相対的に大きくなる。従って、相関色温度の値が大きい場合には、赤色蛍光体部２ｒに対する黄色蛍光体部２ｙのとり得る面積範囲は広くなり、黄色蛍光体部２ｙの赤色蛍光体部２ｒに対する面積比ＴY／ＴRの値の上限値は大きくなり、下限値は小さくなる。
【００７６】
表２は、前述した各相関色温度において、Ｒａが８０前後になる場合、Ｒａが８５前後になる場合、およびＲａが９０前後になる場合の発光装置１のそれぞれについて、赤色蛍光体部２ｒに対する黄色蛍光体部２ｙの面積比と、赤色蛍光体部２ｒに対する緑色蛍光体部２ｇの面積比と、各蛍光体部２ｙ，２ｒ，２ｇの励起光透過率と、Ｒａと、全光束とを示す一覧表である。表２には、各発光装置１について、それぞれ番号が付されている。
【００７７】
【表２】
2013041876.tif 000004
【００７８】
図１２は、表２に示されている各番号の発光装置１の、発する光の相関色温度に対する赤色蛍光体部２ｒに対する黄色蛍光体部２ｙの面積比を示すグラフである。図１２には、発する光の相関色温度に対する赤色蛍光体部２ｒに対する黄色蛍光体部２ｙの面積比がプロットされ、プロットされた位置の近傍に、当該光を発する発光装置１に付された番号が示されている。
【００７９】
また、図１２には、図９に示すＲａが８０を超える要件に応じた直線が実線で示されている。具体的には、下側の実線の直線が、ＴY／ＴR＞−０．０２６３２×ＣＣＴ’＋０．２０の境界を示す直線（ＴY／ＴR＝−０．０２６３２×ＣＣＴ’＋０．２０）である。また、上側の実線の直線が、ＴY／ＴR＜０．６０５２６３×ＣＣＴ’−０．８０の境界を示す直線（ＴY／ＴR＝０．６０５２６３×ＣＣＴ’−０．８０）である。
【００８０】
図１２には、図１０に示すＲａが８５を超える要件に応じた直線が破線で示されている。具体的には、下側の破線の直線が、ＴY／ＴR＞−０．０５２６３×ＣＣＴ’＋０．３５の境界を示す直線（ＴY／ＴR＝−０．０５２６３×ＣＣＴ’＋０．３５）である。また、上側の破線の直線が、ＴY／ＴR＜０．２７６３１６×ＣＣＴ’−０．０５の境界を示す直線（ＴY／ＴR＝０．２７６３１６×ＣＣＴ’−０．０５）である。
【００８１】
また、図１２には、図１１に示すＲａが９０を超える要件に応じた直線が点線で示されている。具体的には、下側の点線の直線が、ＴY／ＴR＞−０．０６５７９×ＣＣＴ’＋０．５５の境界を示す直線（ＴY／ＴR＝−０．０６５７９×ＣＣＴ’＋０．５５）である。また、上側の点線の直線が、ＴY／ＴR＜０．１３１５７９×ＣＣＴ’−０．２０の境界を示す直線（ＴY／ＴR＝０．１３１５７９×ＣＣＴ’−０．２０）である。
【００８２】
図１３から図１７は、表２に示されている各番号の発光装置１が発する光の分光放射束（つまり、周波数スペクトル）を示すグラフである。図１３には、表２に示されている番号が１〜５の発光装置１の分光放射束が示されている。図１４には、表２に示されている番号が６〜１１の発光装置１の分光放射束が示されている。図１５には、表２に示されている番号が１２〜１６の発光装置１の分光放射束が示されている。図１６には、表２に示されている番号が１７〜２２の発光装置１の分光放射束が示されている。図１７には、表２に示されている番号が２３〜２８の発光装置１の分光放射束が示されている。
【００８３】
図１８から図２２は、各相関色温度の光を発するように面積比が設定された発光装置１において、黄色蛍光体部２ｙの励起光透過率に対する全光束を示すグラフである。前述したように黄色蛍光体部２ｙの厚みは１５種類あり、各厚みに応じて面積比が異なるので、図１８から図２２において、励起光透過率は、当該厚みに応じて１５本の縦の直線状にプロットされて示されている。そして、直線状の各励起光透過率の平均値が○で示されている。図１８は、相関色温度２７００Ｋの光を発するように面積比が設定された発光装置１において、黄色蛍光体部２ｙの励起光透過率に対する全光束を示すグラフである。図１９は、相関色温度３５００Ｋの光を発するように面積比が設定された発光装置１において、黄色蛍光体部２ｙの励起光透過率に対する全光束を示すグラフである。図２０は、相関色温度４５００Ｋの光を発するように面積比が設定された発光装置１において、黄色蛍光体部２ｙの励起光透過率に対する全光束を示すグラフである。図２１は、相関色温度５５００Ｋの光を発するように面積比が設定された発光装置１において、黄色蛍光体部２ｙの励起光透過率に対する全光束を示すグラフである。図２２は、相関色温度６５００Ｋの光を発するように面積比が設定された発光装置１において、黄色蛍光体部２ｙの励起光透過率に対する全光束を示すグラフである。
【００８４】
図１８から図２２に示すように、黄色蛍光体部２ｙの全光束数は、励起光透過率が２０％を超えても多い光束数を示す場合もあるが（図２２参照）、励起光透過率が２５％を超えると減少傾向が明らかになり（図２１参照）、励起光透過率が３０％を超えると全光束数の減少が顕著になることがわかる（図１８から図２２参照）。従って、黄色蛍光体部２ｙの励起光透過率は、０．３％以上であって３０％以下であることが好ましく、２５％以下であることがより好ましく、２０％以下であることがさらに好ましい。
【００８５】
特に、相関色温度が３１００Ｋ以上、好ましくは３２００Ｋ以上、より好ましくは３３００Ｋ以上、さらに好ましくは３４００Ｋ以上、かつ、５０００Ｋ未満、好ましくは４９００Ｋ以下、より好ましくは４８００Ｋ以下、さらに好ましくは４６００Ｋ以下の場合には、黄色蛍光体部２ｙの励起光透過率は、３％以上であって２０％以下であることが好ましく、４％以上であって１５％以下であることが好ましい。
【００８６】
また、相関色温度が５０００Ｋ以上、好ましくは５１００Ｋ以上、より好ましくは５２００Ｋ以上、さらに好ましくは５４００Ｋ以上、かつ、７５００Ｋ以下、好ましくは７２００Ｋ以下、より好ましくは７０００Ｋ以下、さらに好ましくは６８００Ｋ以下の場合には、黄色蛍光体部２ｙの励起光透過率は、５％以上であって３０％以下であることが好ましく、４％以上であって２０％以下であることが好ましい。
【００８７】
図２３から図２７は、各相関色温度の光を発するように面積比が設定された発光装置１において、赤色蛍光体部２ｒの励起光透過率に対する全光束を示すグラフである。前述したように赤色蛍光体部２ｒの厚みは１５種類あり、各厚みに応じて面積比が異なるので、図２３から図２７において、励起光透過率は、当該厚みに応じて１５本の縦の直線状にプロットされて示されている。そして、直線状の各励起光透過率の平均値が○で示されている。図２３は、相関色温度２７００Ｋの光を発するように面積比が設定された発光装置１において、赤色蛍光体部２ｒの励起光透過率に対する全光束を示すグラフである。図２４は、相関色温度３５００Ｋの光を発するように面積比が設定された発光装置１において、赤色蛍光体部２ｒの励起光透過率に対する全光束を示すグラフである。図２５は、相関色温度４５００Ｋの光を発するように面積比が設定された発光装置１において、赤色蛍光体部２ｒの励起光透過率に対する全光束を示すグラフである。図２６は、相関色温度５５００Ｋの光を発するように面積比が設定された発光装置１において、赤色蛍光体部２ｒの励起光透過率に対する全光束を示すグラフである。図２７は、相関色温度６５００Ｋの光を発するように面積比が設定された発光装置１において、赤色蛍光体部２ｒの励起光透過率に対する全光束を示すグラフである。
【００８８】
図２３から図２７に示すように、赤色蛍光体部２ｒの全光束数は、励起光透過率の増加に応じて増加する。従って、赤色蛍光体部２ｒの励起光透過率は、０．３％以上であることが好ましく、３％以上であることがより好ましく、５％以上であることがさらに好ましい。なお、例えば、赤色蛍光体部２ｒの励起光透過率が１００％であるときには、赤色蛍光体部２ｒは赤色光を発しないことになってしまう。従って、赤色蛍光体部２ｒの励起光透過率は、４０％以下であることが好ましく、３０％以下であることがより好ましく、２０％以下であることがさらに好ましく、１０％以下であることが特に好ましい。
【００８９】
本実施形態によれば、黄色蛍光体部２ｙの赤色蛍光体部２ｒに対する面積比を多くの試行錯誤を行うことなく容易に決定して、所望の相関色温度（２７００Ｋ、３５００Ｋ、５５００Ｋ、および６５００Ｋ）であって、所望のＲａ（８０を超えるＲａ、８５を超えるＲａ、および９０を超えるＲａ）の光を発する発光装置１を実現することができる。
【００９０】
また、本実施形態によれば、各蛍光体部が並設されているのでカスケード励起が生じることを防ぎ、蛍光体が混合されている場合に比べて、発光装置１の発光効率を高めることができる。また、各蛍光体部の間に仕切り部２ｗが設けられているので、カスケード励起が生じることをさらに防ぐことができる。
【００９１】
［第２実施形態］
図２８は、第２実施形態の発光装置１ａを示す概略側面図である。第１実施形態の発光装置１は、図１、図２および図３に示されているように、ＬＥＤ部３においてＬＥＤが基板等の平面上に設置され、蛍光体部２が膜状または板状に成形されている保持部材を含む。それに対して第２実施形態の発光装置１ａは、基板５に凹部５ａが複数設けられている。そして、各凹部５ａの底部に青色ＬＥＤ３ｂがそれぞれ設置されている。さらに、各凹部５ａには、黄色蛍光体、赤色蛍光体、または緑色蛍光体が保持されている。なお、本実施形態では、図２８に示すように、凹部５ａに保持されている黄色蛍光体によって黄色蛍光体部２ｙが構成され、凹部５ａに保持されている赤色蛍光体によって赤色蛍光体部２ｒが構成され、凹部５ａに保持されている緑色蛍光体によって緑色蛍光体部２ｇが構成されている。そして、黄色蛍光体部２ｙは、凹部５ａの底部に設置された青色ＬＥＤ３ｂが発した光に励起されて黄色光を発する。赤色蛍光体部２ｒは、凹部５ａの底部に設置された青色ＬＥＤ３ｂが発した光に励起されて赤色光を発する。緑色蛍光体部２ｇは、凹部５ａの底部に設置された青色ＬＥＤ３ｂが発した光に励起されて緑色光を発する。なお、本実施形態では複数の凹部５ａを同一の基板５に設けたが、複数の凹部５ａをそれぞれ別々の基板に設けてもよい。
【００９２】
そして、第２実施形態の各蛍光体が保持されている凹部５ａの開口面積が、第１実施形態の各蛍光体部２ｙ，２ｒ，２ｇの面積にそれぞれ相当すると考えて、図９から図１１に示すグラフの考え方を適用する。すなわち、各色の蛍光体部２ｙ，２ｒ，２ｇの数や開口面積を異ならせることによって、各色の蛍光体部２ｙ，２ｒ，２ｇの面積比を異ならせる。そして、赤色蛍光体部２ｒが構成されている凹部５ａの合計開口面積ＡRに対する黄色蛍光体部２ｙが構成されている凹部５ａの合計開口面積ＡYの比が、Ｒａが８０を超えるための条件、Ｒａが８５を超えるための条件、およびＲａ９０を超えるための条件を導きだすことができる。具体的には、Ｒａが８０を超えるための条件は、下記式（４）を満たすことである。
−０．０２６３２×ＣＣＴ’＋０．２０＜ＡY／ＡR＜０．６０５２６３×ＣＣＴ’−０．８０・・・（４）
また、Ｒａが８５を超えるための条件は、下記式（５）を満たすことである。
−０．０５２６３×ＣＣＴ’＋０．３５＜ＡY／ＡR＜０．２７６３１６×ＣＣＴ’−０．０５・・・（５）
Ｒａが９０を超えるための条件は、下記式（６）を満たすことである。
−０．０６５７９×ＣＣＴ’＋０．５５＜ＡY／ＡR＜０．１３１５７９×ＣＣＴ’−０．２０・・・（６）
【００９３】
本実施形態によれば、隣接する凹部５ａ内に保持されている蛍光体部に含まれる蛍光体間のカスケード励起の発生を抑制し、発光効率を向上させることができる。
【００９４】
［第３実施形態］
図２９は、第３実施形態の発光装置１ｂを示す概略側面図である。図２９に示す発光装置１ｂの蛍光体部２ｂにおいて、当該発光装置１ｂの外部に出射される蛍光が発せられる面には凸部が設けられている。図２９に示す例では、各色の蛍光体部２ｙ，２ｒ，２ｇの表面に半球レンズ４がそれぞれ設置されている。そのような構成によれば、各色の蛍光体部から発せられた各色がより一層良好に混合される。なお、図２９に示す例では、半球レンズ４によって凸部が設けられているが、凹部も設けられていてもよい。また、図２９に示す例では、各色の蛍光体部２ｙ，２ｒ，２ｇの表面に半球レンズ４がそれぞれ１つずつ設置されているが、各色の蛍光体部２ｙ，２ｒ，２ｇの表面に複数の半球レンズ４がそれぞれ設置されていてもよい。つまり、各色の蛍光体部２ｙ，２ｒ，２ｇにそれぞれ複数の凸部が設けられていてもよい。前述した面に凹凸が設けられる方法は、半球レンズ４が設置される方法に限定されず、凹凸を有するシートが貼付されたり、プレス加工により凹凸があるように成型されたり、円錐状の突起や三角錐状、四角錐状などの角錐状の突起などが設けられていてもよい。
【００９５】
［第４実施形態］
図３０は、第４実施形態の発光装置１ｃを示す概略側面図である。第４実施形態の発光装置１ｃの蛍光体部２には、黄色蛍光体部２ｙの赤色蛍光体部２ｒに対する面積比ＴY／ＴRの値が互いに異なる複数の領域（例えば、第１領域２−１および第２領域２−２）が設けられている。そして、当該蛍光体部２は、支持部材２ｍによって支持されている。支持部材２ｍは、例えば、レール状に形成されて蛍光体部２の端面（より具体的には、蛍光体部２を構成する保持部材の端面）に設置され、他の部材に摺動可能に支持される。そして、蛍光体部２は、操作者の手動で、または操作者のスイッチ操作等に応じたモータやアクチュエータ等による電動で、ＬＥＤ部３における青色ＬＥＤ３ｂが設置されている面に沿って摺動して移動する。蛍光体部２は、ＬＥＤ部３における青色ＬＥＤ３ｂが設置されている面に沿って摺動して移動することにより、ＬＥＤ部３が発した光が入射する領域が、離散的にまたは連続的に変化する。具体的には、ＬＥＤ部３が発した光が入射する領域が第１領域２−１であるときと、第２領域２−２であるときとの間で変化する。すると、発光装置１から発せられる光のＲａが、第１領域２−１における値と第２領域２−２における値との間で変化する。
【００９６】
そのような構成によれば、操作者の操作に応じて、ＬＥＤ部３に流れる電流量を変化させることなく、当該ＬＥＤ部３が発した光が入射する領域を変化させることができる。従って、操作者の操作に応じて、離散的にまたは連続的にＲａを変化させることができる。また、領域に応じて相関色温度が異なるように構成されていた場合（具体的には、例えば、第１領域２−１に励起光が照射された場合に発せられる光の相関色温度と、第２領域２−２に励起光が照射された場合に発せられる光の相関色温度とが異なるように構成されていた場合）には、一方の領域に応じた相関色温度と、他方の領域に応じた相関色温度との間で、離散的にまたは連続的に発光装置１ｂが発する光の相関色温度を変化させることができる。
【００９７】
［第５実施形態］
図３１は、複数の発光装置を含む発光システム（半導体発光システム）の例を示す概略説明図である。本実施形態の発光システムは、第１実施形態の発光装置１と同様な構成であり、黄色蛍光体部２ｙの赤色蛍光体部２ｒに対する面積比ＴY／ＴRの値が互いに異なる蛍光体部２ｄ，２ｅを含む発光装置１ｄ，１ｅが並んで設置されている。図３１には、発光装置１ｄが、各色の蛍光体部２ｙ，２ｒ，２ｇと当該各色の蛍光体部２ｙ，２ｒ，２ｇに対応する青色ＬＥＤ３ｂとの組を１つ含むことが例示されているが、発光装置１ｄは、各色の蛍光体部２ｙ，２ｒ，２ｇと当該各色の蛍光体部２ｙ，２ｒ，２ｇに対応する青色ＬＥＤ３ｂとの組を複数含んでいる。同様に、図３１には、発光装置１ｅが、各色の蛍光体部２ｙ，２ｒ，２ｇと当該各色の蛍光体部２ｙ，２ｒ，２ｇに対応する青色ＬＥＤ３ｂとの組を１つ含むことが例示されているが、発光装置１ｅは、各色の蛍光体部２ｙ，２ｒ，２ｇと当該各色の蛍光体部２ｙ，２ｒ，２ｇに対応する青色ＬＥＤ３ｂとの組を複数含んでいる。
【００９８】
図３１に示す発光装置１ｄ，１ｅは、例えば、黄色蛍光体部２ｙの赤色蛍光体部２ｒに対する面積比ＴY／ＴRの値や、発する光の相関色温度が互いに異なる。具体的には、例えば、発光装置１ｄが、相関色温度が１９００Ｋ（例えば、ろうそく色）の光を発し、発光装置１ｅが、相関色温度が１９００Ｋ以外の相関色温度（例えば、ろうそく色以外の色）である２０００Ｋ〜６７００Ｋのいずれかの相関色温度の光を発する。なお、発光装置１ｄが発する光の相関色温度と、発光装置１ｅが発する光の相関色温度との差である相関色温度差は、２０００Ｋ以上であることが好ましく、３０００Ｋ以上であることがより好ましく、３５００Ｋ以上であることが特に好ましい。具体的には、例えば、発光装置１ｄが発する光の相関色温度が１９００Ｋであり、発光装置１ｅが発する光の相関色温度が２７００Ｋ（例えば、電球色）、５０００Ｋ（例えば、昼白色）、または６７００Ｋ（例えば、昼光色）のいずれかである。発する光の相関色温度が異なる発光装置１ｄ，１ｅによって構成された発光システムによれば、例えば、それぞれの発光装置におけるＬＥＤチップに流れる電流量を制御することにより、発光装置１ｄが発する光の強度と発光装置１ｅが発する光の強度とを調整して、それぞれの光の合成により得られる合成光の相関色温度を、発光装置１ｄが発する光の相関色温度（例えば、１９００Ｋ）と発光装置１ｅが発する光の相関色温度（例えば、２７００Ｋ、５０００Ｋまたは６７００Ｋのいずれか）との間で調整可能な発光システムを実現することができる。
【００９９】
黄色蛍光体部２ｙの赤色蛍光体部２ｒに対する面積比ＴY／ＴRの値が異なる発光装置１ｄ，１ｅによって構成された発光システムによれば、例えば、それぞれの発光装置におけるＬＥＤチップに流れる電流量を制御することにより、発光装置１ｄが発する光の強度と発光装置１ｅが発する光の強度とを調整して、それぞれの光の合成により得られる合成光のＲａを、発光装置１ｄのＲａ（例えば、８０）と発光装置１ｅのＲａ（例えば、８５または９０のいずれか）との間で調整可能な発光システムを実現することができる。
【符号の説明】
【０１００】
１，１ｂ，１ｃ，１ｄ，１ｅ    発光装置
２，２ｂ，２ｃ，２ｄ，２ｅ    蛍光体部
２ｙ  黄色蛍光体部
２ｒ  赤色蛍光体部
２ｇ  緑色蛍光体部
２ｂ  青色蛍光体部
２ｍ  支持部材
２ｗ  仕切り部
２−１  第１領域
２−２  第２領域
３，３ｄ，３ｅ    ＬＥＤ部
３ａ  ＬＥＤ
３ｂ  青色ＬＥＤ
３ｐ  紫色ＬＥＤ
４  半球レンズ
５  基板
５ａ  凹部
【図１】
2013041876.tif 000005
【図２】
2013041876.tif 000006
【図９】
2013041876.tif 000007
【図１０】
2013041876.tif 000008
【図１１】
2013041876.tif 000009
【図１２】
2013041876.tif 000010
【図１３】
2013041876.tif 000011
【図１４】
2013041876.tif 000012
【図１５】
2013041876.tif 000013
【図１６】
2013041876.tif 000014
【図１７】
2013041876.tif 000015
【図１８】
2013041876.tif 000016
【図１９】
2013041876.tif 000017
【図２０】
2013041876.tif 000018
【図２１】
2013041876.tif 000019
【図２２】
2013041876.tif 000020
【図２３】
2013041876.tif 000021
【図２４】
2013041876.tif 000022
【図２５】
2013041876.tif 000023
【図２６】
2013041876.tif 000024
【図２７】
2013041876.tif 000025
【図２８】
2013041876.tif 000026
【図２９】
2013041876.tif 000027
【図３０】
2013041876.tif 000028
【図３１】
2013041876.tif 000029
【図３】
2013041876.tif 000030
【図４】
2013041876.tif 000031
【図５】
2013041876.tif 000032
【図６】
2013041876.tif 000033
【図７】
2013041876.tif 000034
【図８】
2013041876.tif 000035